(57)【特許請求の範囲】
【請求項１】
回転体の回転速度を低下せしめるブレーキ装置であって、回転軸により回転せしめられる第一回転体と該第一回転体に当接可能で且つ該第一回転体と異なる回転速度で回転する第二回転体を有し、この第二回転体は前記第一回転体の回転軸に連結され、この第二回転体と第一回転体との当接によって該第一回転体若しくは第二回転体の回転速度を低下せしめることにより該第一回転体の回転軸の回転速度を低下せしめると共に該第一回転体及び第二回転体の回転速度を低下せしめるように構成され、前記第一回転体は回転軸に被嵌された構成であり、この第一回転体の回転速度は回転軸の回転速度より高速に設定されていることを特徴とする回転体用のブレーキ装置。
【請求項２】
回転体の回転速度を低下せしめるブレーキ装置であって、回転軸により回転せしめられる第一回転体と該第一回転体に当接可能で且つ該第一回転体と異なる回転速度で回転する第二回転体を有し、この第二回転体は前記第一回転体の回転軸に連結され、この第二回転体と第一回転体との当接によって該第一回転体若しくは第二回転体の回転速度を低下せしめることにより該第一回転体の回転軸の回転速度を低下せしめると共に該第一回転体及び第二回転体の回転速度を低下せしめるように構成され、前記第一回転体は回転軸に被嵌された構成であり、第一回転体及び第二回転体の回転速度は、夫々回転軸の回転速度の１．５乃至２．５倍に設定されていることを特徴とする回転体用のブレーキ装置。
【請求項３】
回転体の回転速度を低下せしめるブレーキ装置であって、回転軸により回転せしめられる第一回転体と該第一回転体に当接可能で且つ該第一回転体と異なる回転速度で回転する第二回転体を有し、この第二回転体は前記第一回転体の回転軸に連結され、この第二回転体と第一回転体との当接によって該第一回転体若しくは第二回転体の回転速度を低下せしめることにより該第一回転体の回転軸の回転速度を低下せしめると共に該第一回転体及び第二回転体の回転速度を低下せしめるように構成され、前記第一回転体は回転軸に被嵌された構成であり、第一回転体の回転速度及び第二回転体の回転速度は、回転軸の回転速度に対して夫々所定比となるように構成されていることを特徴とする回転体用のブレーキ装置。
【請求項４】
請求項１〜３いずれか１項に記載の回転体用のブレーキ装置において、第一回転体は適宜な作業を行う作業部に連結されていることを特徴とする回転体用のブレーキ装置。
【請求項５】
請求項１〜４いずれか１項に記載の回転体用のブレーキ装置において、第二回転体の回転方向は、第一回転体の回転方向と同一に設定されていることを特徴とする回転体用のブレーキ装置。
【請求項６】
請求項１〜５いずれか１項に記載の回転体用のブレーキ装置において、第二回転体と回転軸とは、該回転軸による第一回転体の回転速度と異なる回転速度で該第二回転体を回転せしめる変速装置を介して連結されていることを特徴とする回転体用のブレーキ装置。
【請求項７】
請求項１〜６いずれか１項に記載の回転体用のブレーキ装置において、第二回転体の回転速度は第一回転体の回転速度より高速に設定されていることを特徴とする回転体用のブレーキ装置。
【請求項８】
回転体の回転速度を低下せしめるブレーキ装置であって、回転軸により回転せしめられる第一回転体と該第一回転体に当接可能で且つ該第一回転体と異なる回転速度で回転する第二回転体を有し、この第二回転体は前記第一回転体の回転軸に連結され、この第二回転体と第一回転体との当接によって該第一回転体若しくは第二回転体の回転速度を低下せしめることにより該第一回転体の回転軸の回転速度を低下せしめると共に該第一回転体及び第二回転体の回転速度を低下せしめるように構成され、この第一回転体と第二回転体とを接離する接離装置が設けられ、回転軸の回転速度を低下せしめる際に該接離装置により第一回転体と第二回転体とが当接するように構成され、この接離装置は、第一回転体に対して第二回転体を相対移動せしめるように構成されていることを特徴とする回転体用のブレーキ装置。
【請求項９】
請求項８記載の回転体用のブレーキ装置において、接離装置は、第一回転体と第二回転体との当接度合いを調整可能に構成されていることを特徴とする回転体用のブレーキ装置。
【請求項１０】
回転体の回転速度を低下せしめるブレーキ装置であって、回転軸により回転せしめられる第一回転体と該第一回転体に当接可能で且つ該第一回転体と異なる回転速度で回転する第二回転体を有し、この第二回転体は前記第一回転体の回転軸に連結され、この第二回転体と第一回転体との当接によって該第一回転体若しくは第二回転体の回転速度を低下せしめることにより該第一回転体の回転軸の回転速度を低下せしめると共に該第一回転体及び第二回転体の回転速度を低下せしめるように構成され、この第一回転体と第二回転体との間には第三回転体が設けられ、この第三回転体は第一回転体側若しくは第二回転体側へ移動可能に構成され、第一回転体と第二回転体とは該第三回転体を介して当接するように構成されていることを特徴とする回転体用のブレーキ装置。
【請求項１１】
請求項１０記載の回転体用のブレーキ装置において、第三回転体は、第一回転体と第二回転体との間に自由回転可能な状態で介在せしめられていることを特徴とする回転体用のブレーキ装置。
【請求項１２】
請求項１０記載の回転体用のブレーキ装置において、第三回転体は、第一回転体及び第二回転体を回転せしめる回転軸に連結されていることを特徴とする回転体用のブレーキ装置。
【請求項１３】
請求項１０〜１２いずれか１項に記載の回転体用のブレーキ装置において、第三回転体は、該第三回転体を第一回転体若しくは第二回転体と接離する接離装置に連結されていることを特徴とする回転体用のブレーキ装置。
【請求項１４】
請求項１０〜１３いずれか１項に記載の回転体用のブレーキ装置において、第三回転体として回転軸に被嵌される板体が採用されていることを特徴とする回転体用のブレーキ装置。
【請求項１５】
回転体の回転速度を低下せしめるブレーキ装置であって、回転軸により回転せしめられる第一回転体と該第一回転体に当接可能で且つ該第一回転体と異なる回転速度で回転する第二回転体を有し、この第二回転体は前記第一回転体の回転軸に連結され、この第二回転体と第一回転体との当接によって該第一回転体若しくは第二回転体の回転速度を低下せしめることにより該第一回転体の回転軸の回転速度を低下せしめると共に該第一回転体及び第二回転体の回転速度を低下せしめるように構成され、前記第一回転体として回転軸に被嵌される板体が採用されていることを特徴とする回転体用のブレーキ装置。
【請求項１６】
回転体の回転速度を低下せしめるブレーキ装置であって、回転軸により回転せしめられる第一回転体と該第一回転体に当接可能で且つ該第一回転体と異なる回転速度で回転する第二回転体を有し、この第二回転体は前記第一回転体の回転軸に連結され、この第二回転体と第一回転体との当接によって該第一回転体若しくは第二回転体の回転速度を低下せしめることにより該第一回転体の回転軸の回転速度を低下せしめると共に該第一回転体及び第二回転体の回転速度を低下せしめるように構成され、前記回転軸の外周面には筒体が被嵌され、この筒体には第二回転体が固着され、この筒体の外周面にして該第二回転体と隣接する位置に第一回転体が被嵌されていることを特徴とする回転体用のブレーキ装置。
【請求項１７】
請求項１〜１６いずれか１項に記載の回転体用のブレーキ装置において、第二回転体として回転軸に被嵌される板体が採用されていることを特徴とする回転体用のブレーキ装置。
【請求項１８】
請求項１〜１７いずれか１項に記載の回転体用のブレーキ装置において、第二回転体の回転速度は常時第一回転体の回転速度と異なる回転速度に設定され、第一回転体と第二回転体とは、常時は非当接若しくは極めて弱い当接力による当接状態とされ、第一回転体の回転速度を低下せしめる際には強い当接力による当接状態となるように構成されていることを特徴とする回転体用のブレーキ装置。
【請求項１９】
請求項１〜１８いずれか１項に記載の回転体用のブレーキ装置が車輪の回転速度を低下せしめるブレーキとして採用されていることを特徴とする自動車。
【請求項２０】
請求項１〜１８いずれか１項に記載の回転体用のブレーキ装置が車輪の回転速度を低下せしめるブレーキとして採用されていることを特徴とする鉄道車両。
【請求項２１】
請求項１〜１８いずれか１項に記載の回転体用のブレーキ装置がエンジンの回転速度を低下せしめるブレーキとして採用されていることを特徴とする航空機。
【請求項２２】
請求項１〜１８いずれか１項に記載の回転体用のブレーキ装置がドリルや旋盤等の回転作業部を有する工作機械の該回転作業部の回転速度を低下せしめるブレーキとして採用されていることを特徴とする工作機械。
【請求項２３】
車輪の転動により移動する乗り物用のブレーキ装置であって、車輪４には回転軸が設けられ、この回転軸には第一回転体，第二回転体及び第三回転体が夫々被嵌され、第一回転体及び第二回転体は夫々回転軸の回転によって回転されるように構成され、且つ、この第一回転体と第二回転体とは異なる回転速度で回転するように構成され、第三回転体は第一回転体と第二回転体の間に配設され、且つ、この第三回転体は自由回転自在に設けられ、第一回転体と第二回転体とは接離装置によって前記第三回転体を介して接離自在に構成され、この第一回転体と第二回転体とが第三回転体を介して当接した際、該第一回転体と第二回転体の回転速度の差の分、該第一回転体若しくは第二回転体の回転速度が低下せしめられこれにより回転軸の回転速度を低下せしめられ且つ第一回転体の回転速度及び第二回転体の回転速度が低下せしめられるように構成されていることを特徴とする乗り物用のブレーキ装置。
【発明の詳細な説明】
【０００１】
【発明の属する技術分野】
本発明は、回転体用のブレーキ装置，自動車，鉄道車両，航空機，工作機械及び乗り物用のブレーキ装置に関するものである。
【０００２】
【従来の技術及び発明が解決しようとする課題】
自動車，鉄道車両等の乗り物のブレーキ装置は、車輪の回転軸に回転板（ディスクブレーキロータ）を付設し、該車輪を回転せしめる為の駆動装置（エンジン）の出力を低下せしめると共に、前記回転板に摩擦体（ブレーキパッド）を当接せしめ、この回転板と摩擦体との摩擦により回転軸の回転速度を低下せしめ、これにより乗り物を減速させるものである。
【０００３】
しかし、この摩擦体を用いたブレーキ装置には、下記のような様々な問題点がある。
【０００４】
摩擦体を用いたブレーキ装置では、回転板の回転速度が高い程、該回転板と摩擦体との摩擦力が大きくなり、摩擦熱が多く発生し、次のような現象が問題となる。
【０００５】
具体的には、ブレーキペダルを足で踏み込み操作することにより前記ブレーキパッドをディスクブレーキロータに当接する構成の場合、急激なブレーキ力によるショックの発生防止や、該ブレーキパッドとディスクブレーキロータとの当接に伴う足への衝撃緩和の為、該ブレーキペダルとブレーキパッドとは油圧回路によって接続されるが、この油圧回路中の油に前記摩擦熱が多く作用すると気泡が発生してしまい、ブレーキ力が著しく低下する現象が生じたり、また、連続して使用すると摩擦面が熱膨張して変形したり該摩擦面がなまったりして摩擦力、即ち、ブレーキ力が低下する現象（フェード現象）が生じたりしてしまう。
【０００６】
また、例えば、回転するディスクブレーキロータに固定状態（この固定状態とは回転していないという意味である。）のブレーキパッドを当接する構成であると、ディスクブレーキロータの回転速度がある程度以上高い場合（即ち、ディスクブレーキロータとブレーキパッドとの相対回転速度が高い場合）、該ディスクブレーキロータとブレーキパッドとを当接した際に発生する反発力が非常に大きくなり、これによって前記摩擦力が良好に発揮されなくなる。
【０００７】
尚、この反発力は、ディスクブレーキロータの回転速度の二乗（即ち、運動エネルギー）に比例するものであり、ディスクブレーキロータの回転速度が低い場合には、該反発力が小さい為、前記摩擦によるブレーキ力は良好に発揮されるが、ディスクブレーキロータの回転速度がある程度以上高い場合には、前記反発力が飛躍的に大きくなり、前記摩擦によるブレーキ力が良好に発揮されなくなる。
【０００８】
即ち、摩擦体が固定状態であると、該摩擦体と固定板との相対回転速度が高く、前記現象及び前記反発力によるブレーキ力不足の双方の問題点が発生してしまうことになる。
【０００９】
従って、摩擦体と回転板との相対回転速度を可及的に低減せしめる為、摩擦体を固定板と同様に回転せしめる構成が考えられる。
【００１０】
しかし、この場合、摩擦体の回転速度は、回転板の回転速度に対応した回転速度としなければならない。なぜなら、例えば、摩擦体の回転速度が一定であると、当然、回転板は該摩擦体の回転速度以下になることができないし、しかも、回転板の回転速度が摩擦体の回転速度に近づくにつれ、両者の回転速度の差が小さくなることにより、摩擦力、即ち、ブレーキ力が低下してしまう。更に、摩擦体が一定の回転速度の構成では、結局は、回転板の回転速度（即ち、車輪の回転速度）がある程度以上の場合、前記反発力の問題が発生する。
【００１１】
よって、摩擦体の回転速度を回転板の回転速度に対応して調整しなければならないが、例えば、適宜なモータによって摩擦体を回転せしめる構成であると、この調整は非常に厄介となる。なぜなら、回転板の回転速度を検知する検知装置が必要となったり、また、摩擦体の回転速度を適宜可変する可変装置が必要となったりするからである。更に、このような検知装置や可変装置を用いると、ブレーキの反応性（レスポンス）が悪化してしまうという問題点も発生する。
【００１２】
尚、このようなブレーキ装置における問題点は、乗り物に限らず、ドリル機械等の回転体を有するもの全般において発生する。
【００１３】
本発明は上記問題点に鑑みて達成されたもので、回転板の回転に応じて摩擦体を回転せしめるものでありながら、該摩擦体の回転速度の制御を簡単且つ極めて良好に行える極めて画期的なブレーキ技術を提供するものである。
【００１４】
【課題を解決するための手段】
添付図面を参照して本発明の要旨を説明する。
【００１５】
回転体の回転速度を低下せしめるブレーキ装置であって、回転軸６により回転せしめられる第一回転体２と該第一回転体２に当接可能で且つ該第一回転体２と異なる回転速度で回転する第二回転体３を有し、この第二回転体３は前記第一回転体２の回転軸６に連結され、この第二回転体３と第一回転体２との当接によって該第一回転体２若しくは第二回転体３の回転速度を低下せしめることにより該第一回転体２の回転軸６の回転速度を低下せしめると共に該第一回転体２及び第二回転体３の回転速度を低下せしめるように構成され、前記第一回転体２は回転軸６に被嵌された構成であり、この第一回転体２の回転速度は回転軸６の回転速度より高速に設定されていることを特徴とする回転体用のブレーキ装置に係るものである。
【００１６】
また、回転体の回転速度を低下せしめるブレーキ装置であって、回転軸６により回転せしめられる第一回転体２と該第一回転体２に当接可能で且つ該第一回転体２と異なる回転速度で回転する第二回転体３を有し、この第二回転体３は前記第一回転体２の回転軸６に連結され、この第二回転体３と第一回転体２との当接によって該第一回転体２若しくは第二回転体３の回転速度を低下せしめることにより該第一回転体２の回転軸６の回転速度を低下せしめると共に該第一回転体２及び第二回転体３の回転速度を低下せしめるように構成され、前記第一回転体２は回転軸６に被嵌された構成であり、第一回転体２及び第二回転体３の回転速度は、夫々回転軸６の回転速度の１．５乃至２．５倍に設定されていることを特徴とする回転体用のブレーキ装置に係るものである。
【００１７】
また、回転体の回転速度を低下せしめるブレーキ装置であって、回転軸６により回転せしめられる第一回転体２と該第一回転体２に当接可能で且つ該第一回転体２と異なる回転速度で回転する第二回転体３を有し、この第二回転体３は前記第一回転体２の回転軸６に連結され、この第二回転体３と第一回転体２との当接によって該第一回転体２若しくは第二回転体３の回転速度を低下せしめることにより該第一回転体２の回転軸６の回転速度を低下せしめると共に該第一回転体２及び第二回転体３の回転速度を低下せしめるように構成され、前記第一回転体２は回転軸６に被嵌された構成であり、第一回転体２の回転速度及び第二回転体３の回転速度は、回転軸６の回転速度に対して夫々所定比となるように構成されていることを特徴とする回転体用のブレーキ装置に係るものである。
【００１８】
また、請求項１〜３いずれか１項に記載の回転体用のブレーキ装置において、第一回転体２は適宜な作業を行う作業部４に連結されていることを特徴とする回転体用のブレーキ装置に係るものである。
【００１９】
また、請求項１〜４いずれか１項に記載の回転体用のブレーキ装置において、第二回転体３の回転方向は、第一回転体２の回転方向と同一に設定されていることを特徴とする回転体用のブレーキ装置に係るものである。
【００２０】
また、請求項１〜５いずれか１項に記載の回転体用のブレーキ装置において、第二回転体３と回転軸６とは、該回転軸６による第一回転体２の回転速度と異なる回転速度で該第二回転体３を回転せしめる変速装置５を介して連結されていることを特徴とする回転体用のブレーキ装置に係るものである。
【００２１】
また、請求項１〜６いずれか１項に記載の回転体用のブレーキ装置において、第二回転体３の回転速度は第一回転体２の回転速度より高速に設定されていることを特徴とする回転体用のブレーキ装置に係るものである。
【００２２】
また、回転体の回転速度を低下せしめるブレーキ装置であって、回転軸６により回転せしめられる第一回転体２と該第一回転体２に当接可能で且つ該第一回転体２と異なる回転速度で回転する第二回転体３を有し、この第二回転体３は前記第一回転体２の回転軸６に連結され、この第二回転体３と第一回転体２との当接によって該第一回転体２若しくは第二回転体３の回転速度を低下せしめることにより該第一回転体２の回転軸６の回転速度を低下せしめると共に該第一回転体２及び第二回転体３の回転速度を低下せしめるように構成され、この第一回転体２と第二回転体３とを接離する接離装置８が設けられ、回転軸６の回転速度を低下せしめる際に該接離装置８により第一回転体２と第二回転体３とが当接するように構成され、この接離装置８は、第一回転体２に対して第二回転体３を相対移動せしめるように構成されていることを特徴とする回転体用のブレーキ装置に係るものである。
【００２３】
また、請求項８記載の回転体用のブレーキ装置において、接離装置８は、第一回転体２と第二回転体３との当接度合いを調整可能に構成されていることを特徴とする回転体用のブレーキ装置に係るものである。
【００２４】
また、回転体の回転速度を低下せしめるブレーキ装置であって、回転軸６により回転せしめられる第一回転体２と該第一回転体２に当接可能で且つ該第一回転体２と異なる回転速度で回転する第二回転体３を有し、この第二回転体３は前記第一回転体２の回転軸６に連結され、この第二回転体３と第一回転体２との当接によって該第一回転体２若しくは第二回転体３の回転速度を低下せしめることにより該第一回転体２の回転軸６の回転速度を低下せしめると共に該第一回転体２及び第二回転体３の回転速度を低下せしめるように構成され、この第一回転体２と第二回転体３との間には第三回転体９が設けられ、この第三回転体９は第一回転体２側若しくは第二回転体３側へ移動可能に構成され、第一回転体２と第二回転体３とは該第三回転体９を介して当接するように構成されていることを特徴とする回転体用のブレーキ装置に係るものである。
【００２５】
また、請求項１０記載の回転体用のブレーキ装置において、第三回転体９は、第一回転体２と第二回転体３との間に自由回転可能な状態で介在せしめられていることを特徴とする回転体用のブレーキ装置に係るものである。
【００２６】
また、請求項１０記載の回転体用のブレーキ装置において、第三回転体９は、第一回転体２及び第二回転体３を回転せしめる回転軸６に連結されていることを特徴とする回転体用のブレーキ装置に係るものである。
【００２７】
また、請求項１０〜１２いずれか１項に記載の回転体用のブレーキ装置において、第三回転体９は、該第三回転体９を第一回転体２若しくは第二回転体３と接離する接離装置に連結されていることを特徴とする回転体用のブレーキ装置に係るものである。
【００２８】
また、請求項１０〜１３いずれか１項に記載の回転体用のブレーキ装置において、第三回転体９として回転軸６に被嵌される板体が採用されていることを特徴とする回転体用のブレーキ装置に係るものである。
【００２９】
また、回転体の回転速度を低下せしめるブレーキ装置であって、回転軸６により回転せしめられる第一回転体２と該第一回転体２に当接可能で且つ該第一回転体２と異なる回転速度で回転する第二回転体３を有し、この第二回転体３は前記第一回転体２の回転軸６に連結され、この第二回転体３と第一回転体２との当接によって該第一回転体２若しくは第二回転体３の回転速度を低下せしめることにより該第一回転体２の回転軸６の回転速度を低下せしめると共に該第一回転体２及び第二回転体３の回転速度を低下せしめるように構成され、前記第一回転体２として回転軸６に被嵌される板体が採用されていることを特徴とする回転体用のブレーキ装置に係るものである。
【００３０】
また、回転体の回転速度を低下せしめるブレーキ装置であって、回転軸６により回転せしめられる第一回転体２と該第一回転体２に当接可能で且つ該第一回転体２と異なる回転速度で回転する第二回転体３を有し、この第二回転体３は前記第一回転体２の回転軸６に連結され、この第二回転体３と第一回転体２との当接によって該第一回転体２若しくは第二回転体３の回転速度を低下せしめることにより該第一回転体２の回転軸６の回転速度を低下せしめると共に該第一回転体２及び第二回転体３の回転速度を低下せしめるように構成され、前記回転軸６の外周面には筒体23が被嵌され、この筒体23には第二回転体３が固着され、この筒体23の外周面にして該第二回転体３と隣接する位置に第一回転体２が被嵌されていることを特徴とする回転体用のブレーキ装置に係るものである。
【００３１】
また、請求項１〜１６いずれか１項に記載の回転体用のブレーキ装置において、第二回転体３として回転軸６に被嵌される板体が採用されていることを特徴とする回転体用のブレーキ装置に係るものである。
【００３２】
また、請求項１〜１７いずれか１項に記載の回転体用のブレーキ装置において、第二回転体３の回転速度は常時第一回転体２の回転速度と異なる回転速度に設定され、第一回転体２と第二回転体３とは、常時は非当接若しくは極めて弱い当接力による当接状態とされ、第一回転体２の回転速度を低下せしめる際には強い当接力による当接状態となるように構成されていることを特徴とする回転体用のブレーキ装置に係るものである。
【００３３】
また、請求項１〜１８いずれか１項に記載の回転体用のブレーキ装置が車輪４の回転速度を低下せしめるブレーキとして採用されていることを特徴とする自動車に係るものである。
【００３４】
また、請求項１〜１８いずれか１項に記載の回転体用のブレーキ装置が車輪の回転速度を低下せしめるブレーキとして採用されていることを特徴とする鉄道車両に係るものである。
【００３５】
また、請求項１〜１８いずれか１項に記載の回転体用のブレーキ装置がエンジンの回転速度を低下せしめるブレーキとして採用されていることを特徴とする航空機に係るものである。
【００３６】
また、請求項１〜１８いずれか１項に記載の回転体用のブレーキ装置がドリルや旋盤等の回転作業部を有する工作機械の該回転作業部の回転速度を低下せしめるブレーキとして採用されていることを特徴とする工作機械に係るものである。
【００３７】
また、車輪４の転動により移動する乗り物用のブレーキ装置であって、車輪４には回転軸６が設けられ、この回転軸６には第一回転体２，第二回転体３及び第三回転体９が夫々被嵌され、第一回転体２及び第二回転体３は夫々回転軸６の回転によって回転されるように構成され、且つ、この第一回転体２と第二回転体３とは異なる回転速度で回転するように構成され、第三回転体９は第一回転体２と第二回転体３の間に配設され、且つ、この第三回転体９は自由回転自在に設けられ、第一回転体２と第二回転体３とは接離装置８によって前記第三回転体９を介して接離自在に構成され、この第一回転体２と第二回転体３とが第三回転体９を介して当接した際、該第一回転体２と第二回転体３の回転速度の差の分、該第一回転体２若しくは第二回転体３の回転速度が低下せしめられこれにより回転軸６の回転速度を低下せしめられ且つ第一回転体２の回転速度及び第二回転体３の回転速度が低下せしめられるように構成されていることを特徴とする乗り物用のブレーキ装置に係るものである。
【００３８】
【発明の作用及び効果】
第一回転体２に当接せしめられて摩擦力により該第一回転体２の回転速度を低下せしめるものは、この第一回転体２と異なる回転速度で回転する第二回転体３であるから、両者の回転速度の差を小さくすることにより、第一回転体２の回転速度、即ち、回転軸６の回転速度を低下せしめる際に発生する摩擦熱を可及的に低減できる。
【００３９】
更に、第一回転体２と第二回転体３の回転速度の差を小さくすることにより、第二回転体３と第一回転体２との反発力を低下せしめることができ、これにより摩擦力の低下、即ち、ブレーキ力の低下を可及的に防止して良好なブレーキ作用を発揮せしめることができる。
【００４０】
また、第一回転体２の回転駆動源及び第二回転体３の回転駆動源は、同じ回転軸６であるから、非常に簡単に第一回転体２の回転速度と第二回転体３の回転速度とを対応させて制御することができる。即ち、例えば、第一回転体２の回転速度が低下すれば、それだけ第二回転体３の回転速度が低下することになる。
【００４１】
ところで、第二回転体３の回転速度は、第一回転体２の回転速度より高くても低くても良い。
【００４２】
第二回転体３の回転速度が第一回転体２の回転速度よりも低い場合、第一回転体２は、該第一回転体２よりも回転速度の低い第二回転体３の回転速度に向かって徐々に低下せしめられることになる。また、この際、第一回転体２の回転速度の低下に伴って回転軸６の回転速度も低下し、これにより、回転軸６に連結されている第二回転体３の回転速度も徐々に低下せしめられることになる。
【００４３】
一方、第二回転体３の回転速度が第一回転体２の回転速度よりも高い場合には、該第二回転体３の回転が第一回転体２の回転によってブレーキ作用を受け、これにより第二回転体３の回転速度が徐々に低下せしめられることになる。また、この際、第二回転体３の回転速度の低下に伴って該第二回転体３が連結されている回転軸の回転速度も低下し、これにより、回転軸６に連結されている第一回転体２の回転速度も徐々に低下せしめられることになる。
【００４４】
本発明は上述のように構成したから、第一回転体の回転速度に応じて該第一回転体の回転速度を低下せしめる為の第二回転体を回転せしめて当接するものでありながら、該第二回転体の回転速度を簡単且つ極めて好適に制御して回転軸にブレーキ作用を良好に発揮せしめることができる極めて画期的なブレーキ技術となる。
【００４５】
また、請求項１〜３記載の発明においては、第一回転体が回転軸に被嵌される構成であるから、装置をコンパクトにすることができる。
【００４６】
また、請求項１記載の発明においては、第一回転体の回転速度をブレーキ作用を及ぼしたい回転軸の回転速度より高速に設定したから、回転軸の回転速度不足によるブレーキ力不足のおそれを除去することができ、これにより高いブレーキ力を発揮することができる実用性に秀れたブレーキ装置となる。
【００４７】
また、請求項２記載の発明においては、第一回転体及び第二回転体の回転速度をブレーキ作用を及ぼしたい回転軸の回転速度より高速に設定したから、回転軸の回転速度不足によるブレーキ力不足のおそれを除去することができ、これにより高いブレーキ力を発揮することができる実用性に秀れたブレーキ装置となる。
【００４８】
また、請求項８記載の発明においては、接離装置により第一回転体に対して第二回転体を相対移動して当接し回転軸の回転速度を低下させることができる。
【００４９】
また、請求項１０，２３記載の発明においては、第二回転体と第一回転体との回転速度差を大きくして高いブレーキ作用を発揮せしめようとしても、第三回転体の存在により、前記回転速度差が直接は伝達されず、第二回転体と第三回転体との回転速度差及び第三回転体と第一回転体との回転速度差を、夫々前記第二回転体と第一回転体との回転速度差の半分程度とすることができ、よって、該第二回転体と第一回転体との当接による衝撃を緩和したり、また、第一回転体や第二回転体の当接面の摩耗速度を低下せしめて長寿命化を図ったりできる実用性，耐久性に秀れたブレーキ装置となる。
【００５０】
また、請求項２３記載の発明においては、第一回転体，第二回転体及び第三回転体の全てがブレーキ作用を及ぼしたい回転軸に被嵌される構成であるから、装置全体を非常にコンパクトにすることができる。
【００５１】
【発明の実施の形態】
図１は本発明の第一実施例、図２は第二実施例を図示したものであり、以下に説明する。
【００５２】
第一実施例
第一実施例は、回転体の回転速度を低下せしめるブレーキ装置であって、回転軸６により回転せしめられる第一回転体２と該第一回転体２に当接可能で且つ該第一回転体２と異なる回転速度で回転する第二回転体３を有し、この第二回転体３は前記第一回転体２の回転軸６に連結され、この第二回転体３と第一回転体２との当接によって該第一回転体２若しくは第二回転体３の回転速度を低下せしめることにより該第一回転体２の回転軸６の回転速度を低下せしめると共に該第一回転体２及び第二回転体３の回転速度を低下せしめるように構成されているものである。
【００５３】
第一回転体２は、回転軸６に被嵌される円盤状の板体が採用されている。また、この第一回転体２は回転軸６に固着されている。
【００５４】
第二回転体３は、回転軸６に被嵌される円盤状の板体が採用されている。また、この第二回転体３と回転軸６との間にはベアリング10が設けられており、これにより第二回転体３は回転軸６の延設方向にスライド移動自在に構成されている。
【００５５】
また、第二回転体３の回転方向は、第一回転体２の回転方向と同一方向に設定されている。
【００５６】
また、第二回転体３は、該第二回転体３と第一回転体２とを接離する接離装置（図示省略）に連結されている。第二回転体３は、この接離装置によって回転軸６の延設方向にスライド移動し、このスライド移動によって前記第一回転体２と所定の当接力で当接した際、第一回転体２の回転速度を低下せしめるように構成されている。
【００５７】
また、この第二回転体３と第一回転体２との当接力は、前記接離装置によって調整可能に構成されている。
【００５８】
また、この第二回転体３と回転軸６とは変速装置５を介して連結されている。
【００５９】
この変速装置５について詳述すると、第二回転体３にして前記第一回転体２と向き合う面の反対側の面には回転軸６に被嵌される筒部13が突設されている。また、この筒部13の外周面には円盤状の板部14が繞設されており、この板部14にはギヤ歯が設けられている。
【００６０】
また、回転軸６にはギヤ板部15が繞設状態で設けられている。
【００６１】
この回転軸６のギヤ板部15と筒部13の板部14とは、ギヤ体16によって連結されている。
【００６２】
このギヤ体16は、前記回転軸６のギヤ板部15に噛合する第一ギヤ部17、及び、前記筒部13の板部14のギヤ歯と噛合する第二ギヤ部18が夫々設けられた構成である。
【００６３】
従って、第二回転体３は、前記各ギヤによって発揮される所定のギヤ比により第一回転体２とは異なる回転速度で回転せしめられることになる。
【００６４】
即ち、第一実施例によれば、第一回転体２は回転軸６と同じ回転速度（単位時間当たりの回転数）で回転することになり、第二回転体３は変速装置５により第一回転体２及び回転軸６とは異なる回転速度（所定のギヤ比による回転速度）で回転することになる。
【００６５】
尚、変速装置５は、複数のギヤを用い、このギヤの組み合わせにより前記回転軸６の回転エネルギーを段階的に可変して第二回転体３に伝達する段階変速装置や、回転自在のベルト体を用い、このベルト体の回転経路を可変することにより前記回転軸６の回転エネルギーを無段階的に可変して第二回転体３に伝達する無段階変速装置を採用すると良い。
【００６６】
この変速装置５は、例えば、回転軸６に対する第一回転体２の回転速度がギヤ比「１」に設定されている場合、第二回転体３の回転速度をギヤ比「１」以外に設定する。
【００６７】
この変速装置５による第二回転体３の回転速度の設定は、第一回転体２の回転速度より低くても高くても良い。
【００６８】
第二回転体３の回転速度を第一回転体２の回転速度よりも低く設定した場合、第一回転体２は、該第一回転体２よりも回転速度の低い第二回転体３の回転速度に向かって徐々に低下せしめられることになる。また、この際、第一回転体２の回転速度の低下に伴って回転軸６の回転速度も低下し、これにより第二回転体３の回転速度も徐々に低下せしめられることになる。
【００６９】
具体的には、例えば、第一回転体２の回転速度をギヤ比「１．０」とし、第二回転体３の回転速度をギヤ比「０．８」とした場合、第一回転体２の回転速度が５０００ｒｐｍの際に第二回転体３は４０００ｒｐｍとなり、この回転差１０００ｒｐｍのエネルギー分、回転軸６の回転速度が低下せしめられる。また、この第一回転体２の回転速度が４０００ｒｐｍとなった際には第二回転体３は３２００ｒｐｍとなり、この回転差８００ｒｐｍのエネルギー分、回転軸６の回転速度が低下せしめられる。
【００７０】
このように、回転軸６の回転速度の高低に伴い、該回転軸６に作用する回転速度低下の為のエネルギーも高低することになり、よって、回転軸６の回転速度を低下せしめるエネルギーの調整を極めて良好に行うことができる。
【００７１】
即ち、第一回転体２の回転速度が高い場合には、該第一回転体２に当接してブレーキ作用を発揮せしめる第二回転体３の回転速度も高く、これにより、この第一回転体２と第二回転体３との当接の際に発生する反発力が低減せしめられ、よって、該第二回転体３の当接による回転軸６へのブレーキ力が良好に発揮されることになる。また、この第二回転体３によるブレーキ作用により、第一回転体２の回転速度が低下した場合には、この第一回転体２の回転速度の低下に追従して第二回転体３の回転速度が低下することになり、これにより、第二回転体３は回転軸６にブレーキ作用を及ぼし続けることができ、よって、回転軸６の完全停止まで該第二回転体３の当接によるブレーキ作用が良好に発揮されることになる。
【００７２】
また、前述のように、第一回転体２の回転速度の回転軸６に対するギヤ比及び第二回転体３の回転速度の回転軸６に対するギヤ比を夫々一定とした場合、第一回転体２及び第二回転体３の回転速度の低下に伴い、両者の回転速度差が小さくなって摩擦力、即ち、ブレーキ力が低下する。従って、この場合、第一回転体２の回転速度が所定以下となったら、一般的なブレーキパッドによるブレーキ装置が作動するように構成すると良い。また、第二回転体３の回転速度のギヤ比を可変する構成を採用しても良い。
【００７３】
一方、第二回転体３の回転速度を第一回転体２の回転速度よりも高く設定した場合、第二回転体３が、該第二回転体３よりも回転速度の低い第一回転体２の回転速度に向かって徐々に低下せしめられることになる。これにより、この第二回転体３が連結されている回転軸６の回転速度が低下し、この回転軸６によって回転せしめられている第一回転体２の回転速度も徐々に低下せしめられることになる。
【００７４】
具体的には、例えば、第一回転体２の回転速度をギヤ比「１．０」とし、第二回転体３の回転速度をギヤ比「１．２」とした場合、第一回転体２の回転速度が５０００ｒｐｍの際に第二回転体３は６０００ｒｐｍとなり、この回転差１０００ｒｐｍのエネルギー分、第二回転体３の回転速度が低下せしめられ、これにより回転軸６の回転速度が低下せしめられる。また、この第一回転体２の回転速度が４０００ｒｐｍとなった際には第二回転体３は４８００ｒｐｍとなり、この回転差８００ｒｐｍのエネルギー分、第二回転体３の回転速度が低下せしめられ、これにより回転軸６の回転速度が低下せしめられる。
【００７５】
このように、第二回転体３の回転速度が第一回転体２の回転速度より高い場合でも、前記第二回転体３の回転速度が第一回転体２の回転速度より低い場合と同じように、第一回転体２の回転速度の高低に伴い、回転軸６に作用する回転速度低下の為のエネルギーも高低し、該回転軸６の回転速度が低下せしめられることになる。
【００７６】
即ち、第一回転体２の回転速度が高い場合でも、この第一回転体２と第二回転体３との当接の際に発生する反発力が低減せしめられ、よって、該第二回転体３の当接による回転軸６へのブレーキ作用が良好に発揮されることになる。また、この第二回転体３の当接による回転軸６へのブレーキ作用により、第一回転体２の回転速度が低下した場合には、この第一回転体２の回転速度の低下に追従して第二回転体３の回転速度が低下することになり、これにより、第二回転体３は回転軸６に対してブレーキ作用を及ぼし続けることができ、よって、回転軸６の完全停止まで該第二回転体３の当接によるブレーキ作用が良好に発揮されることになる。
【００７７】
また、前述のように、第一回転体２の回転速度のギヤ比及び第二回転体３の回転速度のギヤ比を夫々一定とした場合、第一回転体２及び第二回転体３の回転速度の低下に伴い、両者の回転速度差が小さくなって摩擦力、即ち、ブレーキ力が低下する。従って、この場合にも、回転軸６の回転速度が所定以下となったら、一般的なブレーキパッドによるブレーキ装置が作動するように構成すると良い。また、第二回転体３の回転速度のギヤ比を可変する構成を採用しても良い。
【００７８】
ところで、第二回転体３の回転速度を第一回転体２より回転速度を高くする構成の場合、前記第二回転体３の回転速度を第一回転体２より回転速度を低くする構成と異なり、第一回転体２の回転速度が低下した場合でも、該第一回転体２と該第二回転体３との回転速度差を十分確保することができる。具体的には、第一回転体２の回転速度が１００ｒｐｍの場合、第二回転体３の回転速度を低くする構成では、前記回転速度差を１００ｒｐｍ未満にしか設定できないが、第二回転体３の回転速度を高くする構成では、前記回転速度差を自由に設定することができる。従って、この回転速度差の設定の観点からいけば、第二回転体３の回転速度を第一回転体２より回転速度を高くする構成の方が必要とされるブレーキ作用に応じて極めて高い汎用性を発揮できるといえる。
【００７９】
尚、この第二回転体３の回転速度を第一回転体２より回転速度より高くするか低くするかは、必要とされるブレーキ作用に応じて併用しても良い。例えば、第一回転体２が高回転の場合には、該第一回転体２の回転速度よりも第二回転体３の回転速度が低くなるように設定して第二回転体３が超高回転となることを防止し、この第一回転体２が低回転となったら、該第一回転体２の回転速度よりも第二回転体３の回転速度が高くなるように設定して汎用性を高めると非常に好適となる。
【００８０】
この第一実施例のブレーキ装置は、自動車，鉄道車両，航空機（プロペラの回転やジェットタービンのフィンの回転の減速用），ドリル加工用の工作機械等に使用することができる。
【００８１】
第一実施例は上述のように、第一回転体２の回転速度に応じて第二回転体３を回転せしめて当接する構成であるから、該第一回転体２と第二回転体３との当接による摩擦熱の発生を可及的に防止でき、更に、該第一回転体２と第二回転体３との当接の際の反発力によるブレーキ力の低下を可及的に防止でき、しかも、第一回転体２と第二回転体３とは同じ回転軸６に連結されているから、第一回転体２の回転速度に対応して第二回転体３を回転せしめることができ、これにより極めて良好に回転軸６に対してブレーキ作用を発揮できる極めて画期的なブレーキ装置となる。
【００８２】
また、第二回転体３の回転速度は第一回転体２の回転速度より高くても低くても良いから、それだけ様々なブレーキングパターンを設定して様々な制御も行える実用性，汎用性に秀れたブレーキ装置となる。
【００８３】
また、第二回転体３の回転速度を所定のギヤ比で設定する場合には、第一回転体２の回転速度の低下に伴って第二回転体３の回転速度が低下することになり、これにより、該第一回転体２と第二回転体３との摩擦力を徐々に弱めることができ、よって、自動車や鉄道車両等の乗り物の場合、停止する際のショックを可及的に和らげることができ、この点においても実用性に秀れたブレーキ装置となる。
【００８４】
尚、第一回転体２と回転軸６とを固着せず、適宜なギヤ装置を介して連結することにより、該第一回転体２の回転速度を回転軸６の回転速度より高くなるように構成しても良い。このように第一回転体２や第三回転体３を高回転とする構成を採用した場合、回転エネルギーは回転速度の二乗に比例するので、該第一回転体２と第二回転体３との当接によるブレーキ力が高くなる。
【００８５】
また、回転軸６が自動車の車輪のシャフトである場合、このシャフトの回転速度に対して第一回転体２の回転速度及び第二回転体３の回転速度が夫々１．５乃至２．５倍となるように設定すると良好なブレーキ力が発揮されることが実験により確認されている。
【００８６】
第二実施例
第二実施例は、第一回転体２と第二回転体３との間に第三回転体９を介在せしめたものである。
【００８７】
第一回転体２及び第二回転体３の回転速度は、夫々回転軸６の回転速度より高くなるように設定されている。前述のようにブレーキ力を高める為である。
【００８８】
第一回転体２及び第二回転体３と回転軸６とは、夫々ギヤ部22を介して連結され、このギヤ部22は、回転軸６の回転速度に対する第一回転体２の回転速度及び第二回転体３の回転速度を夫々所定比とするように構成されている。尚、このギヤ部22として、第一実施例の変速装置５と同様の段階変速装置や無段階変速装置を採用し、回転軸６の回転速度に対する第一回転体２及び第二回転体３の回転速度比を可変できるように構成しても良い。また、このギヤ部22の一部が、第二回転体３の回転速度を第一回転体２の回転速度と異ならしめる為の変速装置５となっている。
【００８９】
この回転軸６，第一回転体２，第二回転体３，第三回転体９及びギヤ部22の連結構造について詳述する。
【００９０】
回転軸６の外周面には筒体23が被嵌され、この筒体23には円盤状の板体によって構成された第二回転体３が被嵌状態で固着されている。
【００９１】
また、筒体23の外周面にして前記第二回転体３と隣接する位置にはベアリング24を介して第一回転体２が被嵌されている。
【００９２】
また、筒体23の外周面にして前記第二回転体３及び前記第一回転体２の間となる位置にはベアリング25を介して第三回転体３が被嵌されている。
【００９３】
また、筒部23の外周面には円盤状の板部26が設けられ、この板部26の外周面にはギヤ歯が設けられている。
【００９４】
また、第一回転体２にして前記第三回転体３と向き合う面の反対側には筒状に延びる筒状延設部27が突設され、この筒状延設部27は前記筒部23に被嵌され、更に、この筒状延設部27の外周面には円盤状の板部28が設けられ、この板部28にはギヤ歯が設けられている。
【００９５】
また、回転軸６の外周面にも円盤状の板部29が設けられ、この鍔部29の外周面にもギヤ歯が設けられている。
【００９６】
筒体23の板部26のギヤ歯，第一回転体２の板部28のギヤ歯及び回転軸６の板部29のギヤ歯は、夫々のギヤ歯に噛合する所定径の三枚のギヤ板30・31・32が設けられたギヤ体34の該ギヤ板30・31・32に夫々噛合されている。
【００９７】
また、このギヤ体34の三枚のギヤ板30・31・32は、回転軸６の回転を夫々所定のギヤ比で第一回転体２及び筒体23（第二回転体３）に伝達し、該第一回転体２及び第二回転体３を回転せしめるように構成されている。
【００９８】
また、ギヤ体34は、回転軸６の延設方向に移動可能に構成され、この移動により前記三枚のギヤ板30・31・32と各板部26・28・29のギヤ歯とが、噛合状態（回転軸６と第一回転体２及び第三回転体３とが連結された状態）若しくは非噛合状態（回転軸６と第一回転体２及び第三回転体３とが非連結の状態）となるように構成されている。
【００９９】
以上の構成により、ギヤ体34の三枚のギヤ板30・31・32と各板部26・28・29のギヤ歯とが噛合した状態で回転軸６を回転せしめると、該回転軸６の回転が第一回転体２及び筒体23に所定のギヤ比で伝達され、該第一回転体２及び筒体23が回転する。また、筒体23が回転することにより、必然的に、該筒体23に固着されている第二回転体３が筒体23と同じ回転速度で回転する。また、この筒体23の回転により、該筒体23にベアリング25を介して被嵌されている第三回転体９も回転するが、この第三回転体９の回転速度は、筒体23の回転速度に大きく依存するも、ベアリング25が介在している為、該筒体23の回転速度の高低に完全に追従する訳ではない。
【０１００】
この状態において、接離装置８により第二回転体３を第三回転体９を介して第一回転体２に当接せしめると（即ち、ブレーキ操作を行うと）、第一回転体２と第二回転体３との挟持によって第三回転体９の回転速度が該第一回転体２の回転速度と第二回転体３の回転速度との中間回転速度付近に低下し、第一回転体２と第三回転体９との回転速度差、及び、第三回転体９と第二回転体３との回転速度差の分、摩擦力が発生し、これにより第一回転体２若しくは第二回転体３の回転速度が低下し、回転軸６を低下せしめる為のブレーキ作用が発揮される（第一回転体２の回転速度が低下せしめられるか、第二回転体３の回転速度が低下せしめられるかは、第一実施例と同様、どちらの回転速度が高いかにより決定される。）。
【０１０１】
また、この回転軸６に作用するブレーキ力により、第一回転体２の回転速度及び第二回転体３の回転速度も低下し、ブレーキ作用は継続的に発揮される。
【０１０２】
また、この第一回転体２の回転速度の低下及び第二回転体３の回転速度の低下により第三回転体９の回転速度も低下することになる。
【０１０３】
このブレーキ作用により、回転軸６の回転速度がゼロになると、該回転軸６の回転によって回転している第一回転体２及び第二回転体３の回転速度もゼロとなる。
【０１０４】
このように第二実施例の第二回転体３もエンジンのような駆動源に連結されておらず、単に回転する回転軸６に連結されて回転する構成の為、第二回転体３の回転速度がゼロとなっても、エンジンの駆動には支障は無い。
【０１０５】
また、このブレーキ作用を解除する際には筒体23を逆方向へ移動せしめるが、この際、この筒体23に被嵌されている第三回転体９も該筒体23の移動と共に第一回転体２から離れる方向に移動することになり、これにより該第三回転体９と第一回転体１との当接が良好に解除されることになる。
【０１０６】
また、この第二実施例も、第一実施例と同様、回転軸６の回転速度の低下に伴ってブレーキ力が不足するおそれがある為、既存のブレーキパッド式のブレーキ装置等を併用すると良い。
【０１０７】
また、この第二実施例により、例えば、第一回転体２の回転速度をギヤ比「１．８」とし、第二回転体３の回転速度をギヤ比「２．２」とした場合、回転軸６の回転速度が５０００ｒｐｍの際、第一回転体２の回転速度は９０００ｒｐｍ、第二回転体３の回転速度は１１０００ｒｐｍとなり、第三回転体９が第一回転体２及び第二回転体３と同じ当接力で当接しているなら、該第三回転体９の回転速度は１００００ｒｐｍとなる。
【０１０８】
図中、符号７は摩擦係数の高い素材製の摩擦パット７である。
【０１０９】
第二実施例は上述のように構成したから、第二回転体３と第一回転体２との回転速度差を大きくして高いブレーキ作用を発揮せしめようとしても、第三回転体９の存在により、前記回転速度差が直接は伝達されず、第二回転体３と第三回転体９との回転速度差及び第三回転体９と第一回転体２との回転速度差を、夫々前記第二回転体３と第一回転体２との回転速度差の半分程度とすることができ、よって、該第二回転体３と第一回転体２との当接による衝撃を緩和したり、また、第一回転体２や第二回転体３の当接面の摩耗速度を低下せしめて長寿命化を図ったりできる実用性，耐久性に秀れたブレーキ装置となる。
【０１１０】
また、第一回転体２，第二回転体３及び第三回転体９の全てがブレーキ作用を及ぼしたい回転軸６に被嵌される構成であるから、装置全体を非常にコンパクトにすることができる。
【０１１１】
また、ブレーキ力を発揮する為の第一回転体２及び第二回転体３を回転せしめる構造も回転軸６の近傍にだけ設ける構成を採用できるから、この点においても装置全体を非常にコンパクトにすることができる。
【０１１２】
また、第一回転体２及び第二回転体３の回転速度をブレーキ作用を及ぼしたい回転軸６の回転速度より高速に設定したから、回転軸６の回転速度不足によるブレーキ力不足のおそれを除去することができ、これにより高いブレーキ力を発揮できる実用性に秀れたブレーキ装置となる。
【０１１３】
また、その余は第一実施例と同様である。
【０１１４】
尚、第二実施例において、複数個の第三回転体９を介在せしめることにより、各回転体同志の回転速度差をより一層低減せしめても良い。
【０１１５】
また、第二実施例の第三回転体９は、適宜な駆動源に連結されて所定の回転トルクで回転せしめられる構成でも良い。
【０１１６】
また、この第三回転体９の回転駆動源として第一回転体２及び第二回転体３を回転せしめる作用を発揮する回転軸６を採用しても良い。この場合、第二回転体３以外にも第三回転体９も第一回転体２の回転速度を低下せしめるブレーキ作用を発揮することになる。また、この場合には、適宜な接離装置によって第三回転体９のみを第一回転体２や第三回転体３に当接せしめることで、両者の回転速度差によるブレーキ作用を発揮せしめても良い。
【０１１７】
また、第一実施例及び第二実施例の双方において、第一回転体２と第二回転体３とを常時当接する構成とし（第二実施例の場合は第三回転体９を介しての当接となる。）、常態においては第一回転体２の回転速度と第二回転体３の回転速度とを同一に設定し、ブレーキ時に第二回転体３の回転速度を第一回転体２の回転速度と異ならしめる構成を採用しても良い。
【０１１８】
また、第一回転体２と第二回転体３との当接構造として、円盤状の板体同志を当接する構造を採用せず、重合可能な筒状のもの同志を当接したり、一方が円盤状で他方が筒状のもの等、当接可能なものであれば、どのような構造を採用しても良い。
【０１１９】
また、第一回転体２の回転軸方向と第二回転体３の回転軸方向とが異なる場合であっても（例えば、回転軸方向が交叉する構成であっても）、両者の当接面積がある程度（摩擦力を発揮する程度）確保できれば、問題ない。唯、この場合でも、第一回転体２の回転速度の低下と第二回転体３の回転速度の低下とを追従させる為、第一回転体２及び第二回転体３の回転力が同じ回転軸６から供給されなければならない。
【図面の簡単な説明】
【図１】  第一実施例の説明図である。
【図２】  第二実施例の説明拡大断面図である。
【符号の説明】
２  第一回転体
３  第二回転体
４  作業部
５  変速装置
６  回転軸
８  接離装置
９  第三回転体
23  筒体
【図１】
0004150191.tif 000002
【図２】
0004150191.tif 000003